(57)【要約】【課題】イヤホン本体とケーブルとの絡み付きによるケーブル同士の絡み合いを簡単な構成で防止できるインナーイヤホンを提供する。【解決手段】このインナーイヤホンは、棒状の保持部２６Ａ，２６Ｂを有する左右一対のイヤホン本体２５Ａ，２５Ｂと、一端が音声機器側に接続され他端が途中で二股に分岐されて保持部を通して各イヤホン本体に接続されたケーブル２４Ａ，２４Ｂと、ケーブルに移動可能に貫通された可撓性部材からなる固定部３１と、を備え、非使用時に固定部を移動させて各保持部の少なくとも一部に被せるようにして一対のイヤホン本体を一体的に固定する。【選択図】  図２
2004235699.tif 000002
【特許請求の範囲】
【請求項１】
略棒状の保持部を有する左右一対のイヤホン本体と、
一端が音声機器側に接続され他端が途中で二股に分岐されて前記保持部を通して前記各イヤホン本体に接続されたケーブルと、
前記ケーブルに移動可能に貫通された可撓性部材からなる固定部と、を備え、
前記固定部を移動させて前記各保持部の少なくとも一部に被せるようにして前記一対のイヤホン本体を一体的に固定できるようにしたことを特徴とするインナーイヤホン。
【請求項２】
左右一対のイヤホン本体と、
一端が音声機器側に接続され他端が途中で二股に分岐されて前記各イヤホン本体に接続されたケーブルと、
前記一対のイヤホン本体に設けられほぼ同一形状に構成され互いに嵌合可能な嵌合部と、を備え、
前記嵌合部で嵌合させることで前記一対のイヤホン本体を一体的に固定できるようにしたことを特徴とするインナーイヤホン。
【請求項３】
左右一対のイヤホン本体と、
一端が音声機器側に接続され他端が途中で二股に分岐されて前記各イヤホン本体に接続されたケーブルと、
前記一対のイヤホン本体の耳当て部分外周に配置された保持手段と、を備え、
前記保持手段により前記一対のイヤホン本体を一体的に固定できるようにしたことを特徴とするインナーイヤホン。
【請求項４】
前記保持手段が前記一対のイヤホン本体の両方に設けられた磁石を備えることを特徴とする請求項３に記載のインナーイヤホン。
【請求項５】
前記保持手段が前記一対のイヤホン本体の一方に設けられた磁石と、他方に設けられた磁性材と、を備えることを特徴とする請求項３に記載のインナーイヤホン。
【発明の詳細な説明】
【０００１】
【発明の属する技術分野】
本発明は、ケーブルの絡まりを防止するようにしたインナーイヤホンに関するものである。
【０００２】
【従来の技術】
インナーイヤホンの従来例を図８，図９を用いて説明する。図９の従来のイヤホンは、一端に音声機器側に差し込まれる接続プラグ２２０を有し適宜な長さのケーブル２１０がその途中から分岐部２３で二股に分岐ケーブル２４０Ａ，２４０Ｂに別れ、その先端にイヤホン本体２５０Ａ，２５０Ｂが設けられている。イヤホンの非使用時には、接続プラグ２２０を音声機器側から取り外し、これを小さくまとめてポケットやバックに入れたり、或いは接続プラグ２２０を携帯音声機器に付けたまま、ケーブル２１０を携帯音声機器に巻き付けてバックなどに入れて持ち運ぶのが一般的である。
【０００３】
しかし、イヤホンを小さくまとめてポケットやバックに入れたとき、イヤホン本体２５０Ａ，２５０Ｂが分岐ケーブル２４０Ａ，２４０Ｂやケーブル２１０に絡まりつくことで、分岐ケーブル２４０Ａ，２４０Ｂ、ケーブル２１０が互いに絡まり合うことがことが多く、次の使用時にこの絡みを解くのが面倒で煩雑である。また、絡みがひどくなると、無理にケーブルを引っ張ったりしてしまいケーブルやイヤホンに損傷をもたらすおそれがある。
【０００４】
かかる絡みの実際のパターンを図９に示す。図中の実線の矢印はイヤホン本体２５０Ａ，破線の矢印はイヤホン本体２５０Ｂがそれぞれ移動する場合の軌跡を示す。図９のように、イヤホン本体２５０Ａの絡みのパターンは、長い方の分岐ケーブル２４０Ａに絡まるパターンと、短い方の分岐ケーブル２４０Ｂに絡まるパターンと、ケーブル２１０に絡まるパターンとが考えられる。また、他方のイヤホン本体２５０Ｂも上述と同様のパターンが考えられ、双方のイヤホン本体２５０Ａ，２５０Ｂ全体では、６通りのパターンが考えられ得る。これらのパターンの組み合わせでイヤホン本体とケーブルとが絡み付く結果、ケーブル同士が絡み合うのである。
【０００５】
上述のようにイヤホン本体がケーブルに絡むことを防止するため、ケーブルの分岐部から左右のイヤホン本体までのケーブル同士を摺動体の移動でファスナにより結合させ一体化するようにしたイヤホンが下記特許文献１に記載されている。しかし、かかるイヤホンは、摺動体により結合・分離させるファスナのため、複雑な構造となり、コスト高になり、また、ケーブルの分岐部から左右のイヤホン本体までのケーブルの重量が増え、使用時に耳に装着したイヤホン本体が外れ易くなったりして使い勝手が悪くなってしまう。
【０００６】
【特許文献１】
実開平１−１７９６９０号公報
【０００７】
【発明が解決しようとする課題】
本発明は、イヤホン本体とケーブルとの絡み付きによるケーブル同士の絡み合いを簡単な構成で防止できるインナーイヤホンを提供することを目的とする。
【０００８】
【課題を解決するための手段】
上記目的を達成するために、本発明による第１のインナーイヤホンは、略棒状の保持部を有する左右一対のイヤホン本体と、一端が音声機器側に接続され他端が途中で二股に分岐されて前記保持部を通して前記各イヤホン本体に接続されたケーブルと、前記ケーブルに移動可能に貫通された可撓性部材からなる固定部と、を備え、前記固定部を移動させて前記各保持部の少なくとも一部に被せるようにして前記一対のイヤホン本体を一体的に固定できるようにしたことを特徴とする。
【０００９】
このインナーイヤホンによれば、非使用時に固定部を移動させてイヤホン本体の保持部に可撓性部材からなる固定部を被せることで簡単に一体化でき、一対のイヤホン本体を保持部で一体的に固定できる。このため、簡単な構造でイヤホン本体とケーブルとを絡み難くすることができる。
【００１０】
本発明による第２のインナーイヤホンは、左右一対のイヤホン本体と、一端が音声機器側に接続され他端が途中で二股に分岐されて前記各イヤホン本体に接続されたケーブルと、前記一対のイヤホン本体に設けられほぼ同一形状に構成され互いに嵌合可能な嵌合部と、を備え、前記嵌合部で嵌合させることで前記一対のイヤホン本体を一体的に固定できるようにしたことを特徴とする。
【００１１】
このインナーイヤホンによれば、非使用時に嵌合部で嵌合し、一対のイヤホン本体を一体的に固定でき、簡単な構造でイヤホン本体とケーブルとを絡み難くすることができる。また、各嵌合部はほぼ同一形状であるので、部品コストが嵩むことはない。
【００１２】
上記嵌合部は、例えば、各イヤホン本体の背面側に取り付け、断面コ字状の部材で、一端側のサイズを他端側よりも大きく構成し、各イヤホン本体の背面側で一方の嵌合部に一端に他方の嵌合部の他端を嵌合させることで、一対のイヤホン本体を一体的に固定できる。
【００１３】
本発明による第３のインナーイヤホンは、左右一対のイヤホン本体と、一端が音声機器側に接続され他端が途中で二股に分岐されて前記各イヤホン本体に接続されたケーブルと、前記一対のイヤホン本体の耳当て部分外周に配置された保持手段と、を備え、前記保持手段により前記一対のイヤホン本体を一体的に固定できるようにしたことを特徴とする。
【００１４】
このインナーイヤホンによれば、非使用時にイヤホン本体の耳当て部分同士を接近させると、保持手段により一対のイヤホン本体を一体的に固定でき、簡単な構造でイヤホン本体とケーブルとを絡み難くすることができる。
【００１５】
前記保持手段が前記一対のイヤホン本体の両方に設けられた磁石を備えることが好ましい。磁石同士が吸引し吸着することで、一対のイヤホン本体を一体的に固定できる。
【００１６】
また、前記保持手段が前記一対のイヤホン本体の一方に設けられた磁石と、他方に設けられた磁性材と、を備えることが好ましい。磁石と磁性体が吸引し吸着することで、一対のイヤホン本体を一体的に固定できる。
【００１７】
なお、前記分岐された各ケーブルの前記各イヤホン本体までの長さがほぼ同じであるように構成できるし、また、前記分岐された各ケーブルの前記各イヤホン本体までの長さが異なるように構成してもよく、いずれの場合でも、イヤホン本体とケーブルとを絡み難くできる。
【００１８】
【発明の実施の形態】
以下、本発明による第１，第２及び第３の実施の形態について図面を用いて説明する。
【００１９】
図１は第１の実施の形態によるステレオ式のインナーイヤホンを概略的に示す斜視図であり、図２は図１の一対のイヤホン本体の近傍を拡大した側面図（ａ）及び一対のイヤホン本体を固定部で固定した状態を示す側面図（ｂ）である。
【００２０】
図１に示すように、インナーイヤホン２は、適宜な長さのケーブル２１の一端側に携帯音声機器等の接続ジャックに差し込まれる接続プラグ２２が取付けられ、他端側はケーブル２１の途中から分岐部２３で二股に分岐したケーブル２４Ａ，２４Ｂに別れている。
【００２１】
また、分岐ケーブル２４Ａ，２４Ｂの先端には、耳に装着可能な一対の左右イヤホン本体２５Ａ，２５Ｂが設けられている。イヤホン本体２５Ａ，２５Ｂは公知のインナーイヤホン構造のスピーカ部を有している。なお、分岐ケーブル２４Ｂは他方２４Ａよりも長くなっているが、同じ長さにしてもよい。
【００２２】
図２（ａ）、（ｂ）に示すように、イヤホン本体２５Ａ，２５Ｂは、その各根元から棒状に延びた保持部２６Ａ、２６Ｂを一体的に備え、分岐ケーブル２４Ａ、２４Ｂが保持部２６Ａ、２６Ｂ内を貫通してイヤホン本体２５Ａ、２５Ｂ内のスピーカ部に電気的に接続している。保持部２６Ａ、２６Ｂは、比較的硬い樹脂材料等から構成され、内部の分岐ケーブル２４Ａ、２４Ｂ等を保護し、また、使用者が耳に装着したり耳から外すときイヤホン本体２５Ａ、２５Ｂを把持し易くなっている。
【００２３】
図１，図２（ａ）に示すように、分岐部２３とイヤホン本体２５Ａ，２５Ｂとの間に分岐ケーブル２４Ａ，２４Ｂが貫通して固定部３１が配置されている。即ち、固定部３１は、比較的軟質で可撓性のある樹脂材料から略円筒状に構成され、その内部を分岐ケーブル２４Ａ，２４Ｂが貫通し、分岐部２３と保持部２６Ａ、２６Ｂとの間で移動可能になっている。固定部３１のイヤホン本体２５Ａ，２５Ｂ側は、その反対側よりも径が大きく構成され、保持部２６Ａ、２６Ｂをまとめて比較的堅く覆うことができるようなサイズとなっている。
【００２４】
インナーイヤホン２の非使用時に、使用者は、固定部３１を掴んで図２（ａ）の矢印方向にイヤホン本体２５Ａ，２５Ｂ側に移動させ、図２（ｂ）のように固定部３１により保持部２６Ａ、２６Ｂに被せることで、一対のイヤホン本体２５Ａ，２５Ｂを簡単に固定できる。このとき、固定部３１は可撓性があるので、固定部３１を保持部２６Ａ、２６Ｂに対し比較的きつい状態で簡単に押し込むことができ、一対のイヤホン本体２５Ａ，２５Ｂを確実に一体的に固定することができる。これにより、非使用時にイヤホン本体２５Ａ，２５Ｂとケーブル２１，２４Ａ，２４Ｂとを絡み難くすることができるので、ケーブル同士の絡み合いを防止できる。
【００２５】
次に、第２の実施の形態について説明する。図３は第２の実施の形態によるインナーイヤホンの一対のイヤホン本体の近傍を拡大して示す斜視図（ａ）及び一対のイヤホン本体を嵌合部で固定した状態を示す斜視図（ｂ）である。図４は図３の嵌合部の嵌合前の状態を示す斜視図（ａ）及び嵌合後の状態を示す斜視図（ｂ）である。
【００２６】
図３（ａ）のインナーイヤホンは、図１と基本的に同様の構成であるが、非使用時の固定のために各イヤホン本体に嵌合部を設けたものである。即ち、図３（ａ）に示すように、一対のイヤホン本体２５Ａ，２５Ｂの背面側の保持部２６Ａ、２６Ｂに嵌合部３２，３３を接着等により取り付けている。
【００２７】
図３（ａ），図４（ａ）のように、嵌合部３２，３３は、一方端の開口３２ａが広く他方端の開口３３ｂが狭くなるような傾斜構造を有した断面コ字状の同一形状の部材から構成され、保持部２６Ａ、２６Ｂに取り付けられている。嵌合部３２，３３の広い開口３２ａ，３３ａが両方ともイヤホン本体２５Ａ、２５Ｂ側に位置するように嵌合部３２，３３が保持部２６Ａ、２６Ｂの長手方向に対し同じ向きに傾斜している。
【００２８】
インナーイヤホンの非使用時に、図３（ａ），図４（ａ）のように、イヤホン本体２５Ａと２５Ｂとを相対的に接近させ、イヤホン本体２５Ａの嵌合部３２をその広開口３２ａからイヤホン本体２５Ｂの嵌合部３３の狭開口３３ｂに嵌め込んで押し付けて嵌合させることで、図３（ｂ），図４（ｂ）のように、イヤホン本体２５Ａ、２５Ｂとを簡単に一体的に固定することができる。これにより、非使用時にイヤホン本体２５Ａ，２５Ｂとケーブル２１，２４Ａ，２４Ｂとを絡み難くすることができるので、ケーブル同士の絡み合いを防止できる。また、嵌合部３２，３３は、同一形状の部材から構成できるので、部品コストを低く抑えることができる。なお、イヤホン本体２５Ａの嵌合部３２の狭開口をイヤホン本体２５Ｂの嵌合部３３の広開口３３ａに嵌め込んで嵌合させてもよい。
【００２９】
次に、第３の実施の形態について説明する。図５は第３の実施の形態によるインナーイヤホンの一対のイヤホン本体の近傍を拡大して示す斜視図（ａ）及び一対のイヤホン本体を固定した状態を示す斜視図（ｂ）である。図６はイヤホン本体の要部側断面図である。
【００３０】
図５（ａ）のインナーイヤホンは、図１と基本的に同様の構成であるが、非使用時の固定のために各イヤホン本体にリング状の磁石を設けたものである。即ち、図５（ａ）に示すように、一対のイヤホン本体２５Ａ，２５Ｂの耳装着部分側の外周部に互いに磁極の異なるリング状の磁石３４，３５を取り付けている。図５（ａ）には、説明の便宜上、リング状の磁石３４，３５を露出した状態で示すが、図６のように、イヤホン本体２５Ａはリング状の磁石３４を取り付けた面全体が保護部材３６で覆われている。イヤホン本体２５Ｂも同様の保護部材で覆われている。
【００３１】
インナーイヤホンの非使用時に、図５（ａ）のように、イヤホン本体２５Ａと２５Ｂとの装着部同士を相対的に接近させることで、イヤホン本体２５Ａ，２５Ｂ内のリング状の磁石３４，３５が互いに吸引し、吸着することで、図５（ｂ）のように、イヤホン本体２５Ａ、２５Ｂとを簡単に一体的に固定することができる。これにより、非使用時にイヤホン本体２５Ａ，２５Ｂとケーブル２１，２４Ａ，２４Ｂとを絡み難くすることができるので、ケーブル同士の絡み合いを防止できる。
【００３２】
また、イヤホン本体２５Ａ，２５Ｂを固定するとき、磁石３４，３５が互いに吸引し合うので、イヤホン本体２５Ａ，２５Ｂの外周が揃った状態で簡単に固定できる。
【００３３】
図７に図１，図２の一対のイヤホン本体を一体的に固定した場合のイヤホン本体が移動可能な軌跡を概念的に示し、絡みのパターンを示すが、本実施の形態のインナーイヤホンによれば、図９の従来のインナーイヤホンの絡みパターンに比べ、絡みパターンが少なくなることが分かり、絡み合いを防止できることが理解できる。
【００３４】
【実施例】
次に、本発明を実施例により更に説明する。実施例として、図１、図２に示すインナーイヤホン２の構成を基本とし、表１に示すように、分岐ケーブル２４Ａ，２４Ｂの長さを同じにし、異ならせ、更にケーブル全体の長さを短くし、長くし、より長くした４種類のインナーイヤホンを作製した。
【００３５】
【表１】
2004235699.tif 000003
【００３６】
【表２】
2004235699.tif 000004
【００３７】
実施例１〜４として、表１の４種類のインナーイヤホンを、図２（ｂ）のようにイヤホン本体２５Ａ、２５Ｂが固定部３１により一体的に固定された状態で、手の中で転がしてから、イヤホン本体が分岐ケーブルやケーブルに絡まるか否かを観察し、絡まり防止効果の評価を行った。また、比較例１〜４として表１と同様の４種類のインナーイヤホンを表２のように固定部３１による固定無しの状態で、同様に絡まるか否かを観察し、絡まり防止効果の評価を行った。実施例１〜４及び比較例１〜４に関し、絡まり防止効果の評価を１０回ずつ同様に繰り返して行った結果を表３に示す。
【００３８】
【表３】
2004235699.tif 000005
【００３９】
表３から、比較例１〜４のいずれの場合も１０回中に５乃至８回の絡まりが発生したのに対し、実施例１〜４ではいずれの場合も絡まりが殆ど発生しなかった。これは、固定部によるイヤホン本体同士の固定でイヤホン本体とケーブルとの絡み合いのパターンが図９の従来の場合と比べて図７のように減り、絡み合いの確率が減少するためと考えられる。
【００４０】
次に、実施例５〜８として、表１の４種類のインナーイヤホンを図２（ａ）のようにイヤホン本体２５Ａ、２５Ｂが固定部３１により一体的に固定された状態で、携帯音声機器と一体にして袋状の収容物であるポーチの中に入れて振ってから、上述と同様の絡まりを観察し、絡まり防止効果の評価を行った。これを１０回ずつ同様に繰り返して行った結果を表４に示す。表４には、表２の比較例の４種類のインナーイヤホンについてイヤホン本体の固定無しで同様の実験を行った比較例５〜８の結果を併せて示す。
【００４１】
【表４】
2004235699.tif 000006
【００４２】
表４から、比較例５〜８のいずれの場合も１０回中に４乃至７回の絡まりが発生したのに対し、実施例５〜８では最も多くて２回の絡まりしか発生しなかった。これは表２と同様に固定部によるイヤホン本体同士の固定の効果と考えられる。
【００４３】
以上のように本発明を実施の形態及び実施例により説明したが、本発明はこれらに限定されるものではなく、本発明の技術的思想の範囲内で各種の変形が可能である。例えば、図１０のように、嵌合部３２を保持部２６Ａに図３，図４と同じ向きに取り付け、嵌合部３３を保持部２６Ｂに狭開口がイヤホン本体２５Ｂ側に向くように取り付け、図１０のようにイヤホン本体２５Ａと２５Ｂとが保持部２６Ａ，２６Ｂの長手方向に関し互いに反対向きになるように固定してもよい。
【００４４】
また、図２では、円筒状の固定部３１の内面に多数の小突起を設けたり、また固定部３１の内面を鱗状面に形成してもよく、これらにより、インナーイヤホンの非使用時に固定部３１を使用したときに、固定部３１が保持部２６Ａ，２６Ｂから滑り落ちてしまうことを防止できる。
【００４５】
また、図５では、磁石３４，３５をリング状に一体に構成しなくともよく、小さな磁石を並べるようにしてもよい。また、図６において、磁石をイヤホン本体側に埋め込むような配置にしてもよい。更に、図５，図６において、磁石３４または３５の位置に磁石に代えて、同形状の鉄等からなる磁性体を配置してもよい。
【００４６】
【発明の効果】
本発明によれば、イヤホン本体とケーブルとの絡み付きによるケーブル同士の絡み合いを簡単な構成で防止できるインナーイヤホンを提供できる。
【図面の簡単な説明】
【図１】第１の実施の形態によるステレオ式のインナーイヤホンを概略的に示す斜視図である。
【図２】図１の一対のイヤホン本体の近傍を拡大した側面図（ａ）及び一対のイヤホン本体を固定部で固定した状態を示す側面図（ｂ）である。
【図３】第２の実施の形態によるインナーイヤホンの一対のイヤホン本体の近傍を拡大して示す斜視図（ａ）及び一対のイヤホン本体を嵌合部で固定した状態を示す斜視図（ｂ）である。
【図４】図３の嵌合部の嵌合前の状態を示す斜視図（ａ）及び嵌合後の状態を示す斜視図（ｂ）である
【図５】第３の実施の形態によるインナーイヤホンの一対のイヤホン本体の近傍を拡大して示す斜視図（ａ）、及び一対のイヤホン本体を固定した状態を示す斜視図（ｂ）である。
【図６】図５のイヤホン本体の要部側断面図である。
【図７】図１，図２の一対のイヤホン本体を一体的に固定した場合のイヤホン本体が移動可能な軌跡を概念的に示し、絡みのパターンを示す図である。
【図８】従来のイヤホンを示す斜視図である。
【図９】図８の従来の一対のイヤホン本体が移動可能な軌跡を概念的に示し、絡みのパターンを示す図である。
【図１０】図３，図４の変形例を示す、図３（ａ）と同様の斜視図である。
【符号の説明】
２・・・インナーイヤホン
２１・・・ケーブル
２２・・・接続プラグ
２３・・・分岐部
２４Ａ，２４Ｂ・・・分岐ケーブル
２５Ａ，２５Ｂ・・・イヤホン本体
２６Ａ、２６Ｂ・・・保持部
３１・・・固定部
３２，３３・・・嵌合部
３４，３５・・・磁石
【図１】
2004235699.tif 000007
【図２】
2004235699.tif 000008
【図３】
2004235699.tif 000009
【図４】
2004235699.tif 000010
【図５】
2004235699.tif 000011
【図６】
2004235699.tif 000012
【図７】
2004235699.tif 000013
【図８】
2004235699.tif 000014
【図９】
2004235699.tif 000015
【図１０】
2004235699.tif 000016